(57)【要約】  本発明は、イコライザのタップ係数を求める過程で相関行列（相関値）の演算量を抑制できるようにすることを目的とする。そのため、本発明では、第１無線基地局については、同一信号タイミングのチャネル推定値同士の演算結果及び異なる信号タイミング同士のチャネル推定値の演算結果に基づいて第１相関値（Ｒ）を求めるとともに、第２無線基地局については、同一信号タイミングのチャネル推定値同士の演算結果に基づいて第２相関値（Ｑ）を求め、これらの相関値（Ｒ，Ｑ）に基づいてイコライザ（２０）での重み付け加算を制御する。
2008126284.tif 000002
【特許請求の範囲】
【請求項１】
第１無線基地局から送信された信号と、第２無線基地局からの前記信号に対する干渉信号との相関に基づいて受信信号系列の重み付け加算が制御されることにより受信信号を等化するイコライザの制御装置であって、
前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定手段と、
前記第１無線基地局については、同一信号タイミングのチャネル推定値同士の演算結果及び異なる信号タイミング同士のチャネル推定値の演算結果に基づいて第１相関値を求めるとともに、前記第２無線基地局については、同一信号タイミングのチャネル推定値同士の演算結果に基づいて第２相関値を求める相関値算出手段と、
前記相関値算出手段で求められた前記第１、第２相関値に基づいて前記イコライザでの前記重み付け加算を制御する重み付け制御手段と、
をそなえたことを特徴とする、イコライザの制御装置。
【請求項２】
前記チャネル推定手段は、
前記第１無線基地局から送信されたパイロット信号に基づいて前記第１無線基地局についてのチャネル推定値を求める第１無線基地局チャネル推定部と、
前記第２無線基地局から送信されたパイロット信号に基づいて前記第２無線基地局についてのチャネル推定値を求める第２無線基地局チャネル推定部とをそなえ、
前記相関値算出手段は、
前記第１無線基地局チャネル推定部により求められたチャネル推定値の積により前記第１無線基地局についての前記第１相関値を求める第１無線基地局相関値算出部と、
前記第２無線基地局チャネル推定部により求められたチャネル推定値のうち同一信号タイミングのチャネル推定値の積により前記第２無線基地局についての前記第２相関値を求める第２無線基地局相関値算出部とをそなえて構成されたことを特徴とする、請求項１記載のイコライザの制御装置。
【請求項３】
複数の前記第２無線基地局からの信号の受信電力をそれぞれ測定する電力測定手段をさらにそなえるとともに、
前記相関値算出部は、
前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されたことを特徴とする、請求項１又は２に記載のイコライザの制御装置。
【請求項４】
複数の前記第２無線基地局からの信号の受信電力をそれぞれ測定する電力測定手段をさらにそなえるとともに、
前記相関値算出部は、
前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されたことを特徴とする、請求項１又は２に記載のイコライザの制御装置。
【請求項５】
温度に基づく熱雑音を求める雑音算出手段をさらにそなえ、
前記重み付け制御手段は、
前記各相関値と前記雑音算出手段で求められた熱雑音とに基づいて前記重み付け加算を制御するように構成されたことを特徴とする、請求項１〜４のいずれか１項に記載のイコライザの制御装置。
【請求項６】
請求項１〜５のいずれか１項に記載のイコライザの制御装置をそなえたことを特徴とする、無線端末。
【請求項７】
第１無線基地局から送信された信号と、第２無線基地局からの前記信号に対する干渉信号との相関に基づいて受信信号系列の重み付け加算が制御されることにより受信信号を等化するイコライザの制御方法であって、
前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定過程と、
前記第１無線基地局については、同一信号タイミングのチャネル推定値同士の演算結果及び異なる信号タイミングのチャネル推定値同士の演算結果に基づいて第１相関値を求めるとともに、前記第２無線基地局については、同一信号タイミングのチャネル推定値同士の演算結果に基づいて第２相関値を求める相関値算出過程と、
前記相関値算出過程で求められた前記第１、第２相関値に基づいて前記イコライザでの前記重み付け加算を制御する重み付け制御過程と、
を有することを特徴とする、イコライザの制御方法。
【請求項８】
前記チャネル推定過程では、
前記第１無線基地局から送信されたパイロット信号に基づいて前記第１無線基地局についてのチャネル推定値を求めるとともに、前記第２無線基地局から送信されたパイロット信号に基づいて前記第２無線基地局についてのチャネル推定値を求め、
前記相関値算出過程では、
前記第１無線基地局についてのチャネル推定値の積により前記第１無線基地局についての前記第１相関値を求め、前記第２無線基地局についてのチャネル推定値のうち同一信号タイミングのチャネル推定値の積により前記第２無線基地局についての前記第２相関値を求めることを特徴とする、請求項７記載のイコライザの制御方法。
【請求項９】
複数の前記第２無線基地局からの信号の受信電力をそれぞれ測定し、
前記相関値算出過程では、
前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めることを特徴とする、請求項７又は８に記載のイコライザの制御方法。
【請求項１０】
複数の前記第２無線基地局からの信号の受信電力をそれぞれ測定し、
前記相関値算出過程では、
前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値に基づいて第２相関値を求めることを特徴とする、請求項７又は８に記載のイコライザの制御方法。
【請求項１１】
温度に基づく熱雑音を求め、
前記重み付け制御過程では、
前記各相関値と前記熱雑音とに基づいて前記重み付け加算を制御することを特徴とする、請求項７〜１０のいずれか１項に記載のイコライザの制御方法。
【発明の詳細な説明】
【技術分野】
【０００１】
本発明は、イコライザの制御装置及び制御方法並びに前記制御装置をそなえた無線端末に関する。本発明は、特に、複数の無線基地局からの電波を受信しうる無線環境において受信信号を等化するイコライザを具備する装置（例えば、携帯電話等の無線端末）に用いると好適である。
【背景技術】
【０００２】
セルラーシステム等の無線通信技術において、マルチパス干渉を低減する技術としてイコライザがある。イコライザは、伝播路（チャネル）推定結果から、適切な合成（重み付け）係数を計算し、受信信号を、この合成係数によって重み付け加算することにより、受信信号を等化して干渉を低減する技術である。
ここで、例えば、時刻ｔのイコライザ後の信号y(t)は、受信信号x(t)と合成係数（タップ係数）w(i)により、以下の(1.1)式で表される。【０００３】
【数１】
2008126284.tif 000003
【０００４】
この合成係数w(t)の求め方により、イコライザの特性や処理量が決まる。
既知のイコライザは、下記の(1.2)式で表されるように、自局についての相関行列Ｒ0のみに基づいて合成係数ｗを求めるか（例えば、後記非特許文献１，２参照）、下記の(1.3)式で表されるように、自局の相関行列Ｒ0と他局（基地局番号＃ｉ）の相関行列Ｒiとの和により合成相関行列を求めてタップ係数を求めるか（例えば、後記非特許文献３参照）の、いずれかであった。【０００５】
【数２】
2008126284.tif 000004
【０００６】
ただし、これらの(1.2)式及び(1.3)式において、Ｉは単位行列、σ2は雑音を表す。また、相関行列Ｒは、受信アンテナ番号＃ｒ、パス番号＃ｋのチャネル推定値α（ｒ，ｋ）を用いて以下の(1.4)式により計算できる。【０００７】
【数３】
2008126284.tif 000005
【０００８】
なお、自局の相関行列Ｒ0とは、イコライザの搭載された無線通信装置が通信を行なっている基地局（サービングセル）から到来する信号（パス）のチャネル推定値に基づく相関値を要素とする行列を意味し、他局の相関行列Ｒiとは、当該サービングセル以外の他の基地局（干渉局）から到来する信号（パス）のチャネル推定値に基づく相関値を要素とする行列を意味する（以降において同じ）。【０００９】
また、既知のイコライザに関する技術として、他に下記特許文献１，２に記載された技術もある。
特許文献１の技術は、ＤＳ／ＣＤＭＡ方式において、高速フェージング時やマルチパス環境においても、同時使用ユーザ数の増加に対して受信特性劣化の少ないＣＤＭＡ受信機を提供することを目的とするもので、そのために、複数の干渉除去等化器を具備し、当該干渉除去等化器において、指定タイミング以外のタイミングのマルチパス信号成分を他局信号とみなして除去した上で、前記指定タイミングのマルチパス信号成分のみを合成するようになっている。【００１０】
特許文献２の技術は、ＭＭＳＥ等化器等のウェイト計算に使用されるチップ雑音電力を高精度に推定することが可能な雑音電力推定装置を得ることを目的とするもので、そのために、パス毎のパイロット信号及びデータ信号の電力比率を利用して、パス毎のパイロット信号の受信電力からマルチパス干渉成分を除去し、パス毎のパイロット信号の修正された受信電力を求め、複数パスに関する修正された受信電力及び所定の電力比率に基づいて、受信信号に含まれるパイロット信号及びデータ信号の総電力を推定し、推定した総電力を、受信信号の総電力から減算することにより、雑音電力を求めるようになっている。
【特許文献１】特開平７−３０５１９号公報
【特許文献２】特開２００５−３２８３１１号公報
【非特許文献１】A. Klein，“Data Detection Algorithms Specially Designed for the Downlink of Mobile Radio Systems”，Proc. Of IEEE VTC'97， PP.203-207，Phoenix，May 1997
【非特許文献２】3GPP R4-040680，“HSDPA improvements for UE categories 7 and 8”，Nokia，TSG RAN WG4#33，Nov 2004
【非特許文献３】3GPP R4-060514，“Reference structure for interference mitigation simulations with HSDPA and receiver diversity”，Nokia，TSG RAN WG#39，May 2006
【発明の開示】
【発明が解決しようとする課題】
【００１１】
しかしながら、自局の相関行列Ｒ0のみに基づいて合成係数ｗを求める場合（以降、従来例１という）は、処理量は少ないものの、他局の干渉成分を低減することができないため、受信特性が良くない。これに対して、自局の相関行列Ｒ0と他局の相関行列Ｒiとに基づいて合成係数を求める場合（以降、従来例２という）は、受信特性は向上するが処理（演算）量が非常に多くなってしまう。即ち、自局及び他局のそれぞれに関して相関行列Ｒを求める必要があるので、自局の相関行列Ｒ0のみに基づく場合に比して、２倍以上の演算量が必要になる。【００１２】
また、特許文献１の技術では、指定タイミング以外のタイミングのマルチパス信号成分を他局信号とみなして除去するため、自局のマルチパス信号成分まで除去してしまったり、逆に、他局のマルチパス信号成分を自局のマルチパス信号成分に含めてしまったりする可能性があり、受信特性が劣化するおそれがある。
特許文献２の技術は、他局のマルチパス信号成分を考慮せずに自局からの信号の雑音電力を高精度に測定する技術であるため、他局信号の干渉により受信特性が劣化する。【００１３】
本発明は、イコライザの重み付け加算を制御する過程（タップ係数を求める過程）で相関行列（相関値）の演算量を抑制することを目的とする。
また、本発明は、他局信号による干渉の影響を抑制して受信特性を向上できるようにすることを目的とする。
なお、当該目的に限らず、後述する発明を実施するための最良の形態に示す各構成により導かれる作用効果であって、従来の技術によっては得られない作用効果を奏することも本発明の他の目的の一つとして位置付けることができる。
【課題を解決するための手段】
【００１４】
上記の目的を達成するために、本発明では、以下に示すイコライザの制御装置及び制御方法並びに前記制御装置をそなえた無線端末を用いることを要旨としている。即ち、
（１）本発明のイコライザの制御装置は、第１無線基地局から送信された信号と、第２無線基地局からの前記信号に対する干渉信号との相関に基づいて受信信号系列の重み付け加算が制御されることにより受信信号を等化するイコライザの制御装置であって、
(a)前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定手段と、
(b)前記第１無線基地局については、同一信号タイミングのチャネル推定値同士の演算結果及び異なる信号タイミング同士のチャネル推定値の演算結果に基づいて第１相関値を求めるとともに、前記第２無線基地局については、同一信号タイミングのチャネル推定値同士の演算結果に基づいて第２相関値を求める相関値算出手段と、
(c)前記相関値算出手段で求められた前記第１、第２相関値に基づいて前記イコライザでの前記重み付け加算を制御する重み付け制御手段と、
をそなえたことを要旨としている。【００１５】
（２）ここで、前記チャネル推定手段は、前記第１無線基地局から送信されたパイロット信号に基づいて前記第１無線基地局についてのチャネル推定値を求める第１無線基地局チャネル推定部と、前記第２無線基地局から送信されたパイロット信号に基づいて前記第２無線基地局についてのチャネル推定値を求める第２無線基地局チャネル推定部とをそなえ、前記相関値算出手段は、前記第１無線基地局チャネル推定部により求められたチャネル推定値の積により前記第１無線基地局についての前記第１相関値を求める第１無線基地局相関値算出部と、前記第２無線基地局チャネル推定部により求められたチャネル推定値のうち同一信号タイミングのチャネル推定値の積により前記第２無線基地局についての前記第２相関値を求める第２無線基地局相関値算出部とをそなえて構成されていてもよい。【００１６】
（３）また、前記制御装置は、複数の前記第２無線基地局からの信号の受信電力をそれぞれ測定する電力測定手段をさらにそなえるとともに、前記相関値算出部は、前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されていてもよい。【００１７】
（４）さらに、前記制御装置は、複数の前記第２無線基地局からの信号の受信電力をそれぞれ測定する電力測定手段をさらにそなえるとともに、前記相関値算出部は、前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されていてもよい。【００１８】
（５）また、前記制御装置は、温度に基づく熱雑音を求める雑音算出手段をさらにそなえ、前記重み付け制御手段は、前記各相関値と前記雑音算出手段で求められた熱雑音とに基づいて前記重み付け加算を制御するように構成されていてもよい。
（６）さらに、本発明の無線端末は、前記（１）〜（５）のいずれか１つに記載のイコライザの制御装置をそなえたことを要旨としている。【００１９】
（７）また、本発明のイコライザの制御方法は、第１無線基地局から送信された信号と、第２無線基地局からの前記信号に対する干渉信号との相関に基づいて受信信号系列の重み付け加算が制御されることにより受信信号を等化するイコライザの制御方法であって、
(a)前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定過程と、
(b)前記第１無線基地局については、同一信号タイミングのチャネル推定値同士の演算結果及び異なる信号タイミングのチャネル推定値同士の演算結果に基づいて第１相関値を求めるとともに、前記第２無線基地局については、同一信号タイミングのチャネル推定値同士の演算結果に基づいて第２相関値を求める相関値算出過程と、
(c)前記相関値算出過程で求められた前記第１、第２相関値に基づいて前記イコライザでの前記重み付け加算を制御する重み付け制御過程と、
を有することを要旨としている。【００２０】
（８）ここで、前記チャネル推定過程では、前記第１無線基地局から送信されたパイロット信号に基づいて前記第１無線基地局についてのチャネル推定値を求めるとともに、前記第２無線基地局から送信されたパイロット信号に基づいて前記第２無線基地局についてのチャネル推定値を求め、前記相関値算出過程では、前記第１無線基地局についてのチャネル推定値の積により前記第１無線基地局についての前記第１相関値を求め、前記第２無線基地局についてのチャネル推定値のうち同一信号タイミングのチャネル推定値の積により前記第２無線基地局についての前記第２相関値を求めるようにしてもよい。【００２１】
（９）また、前記制御方法は、複数の前記第２無線基地局からの信号の受信電力をそれぞれ測定し、前記相関値算出過程では、前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるようにしてもよい。【００２２】
（１０）さらに、前記制御方法は、複数の前記第２無線基地局からの信号の受信電力をそれぞれ測定し、前記相関値算出過程では、前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値に基づいて第２相関値を求めるようにしてもよい。【００２３】
（１１）また、前記制御方法は、温度に基づく熱雑音を求め、前記重み付け制御過程では、前記各相関値と前記熱雑音とに基づいて前記重み付け加算を制御するようにしてもよい。
【発明の効果】
【００２４】
本発明によれば、イコライザの重み付け加算を制御する過程で必要な相関演算量を抑制することができる。
また、本発明によれば、他局信号による干渉の影響を抑制して受信特性を向上することができる。
【図面の簡単な説明】
【００２５】
【図１】本発明の一実施形態に係る無線受信装置の要部の構成を示すブロック図である。
【図２】図１に示すＦＩＲフィルタ部の構成を示すブロック図である。
【図３】図１に示すパイロットチャネル（ＣＰＩＣＨ）逆拡散部及びウェイト算出部の詳細構成を示すブロック図である。
【図４】図１〜図３に示す無線受信装置の受信環境（受信アンテナに到来するマルチパス信号）例を模式的に示す図である。
【図５】図４に示す受信環境で図３に示す自局相関行列算出ブロックにより求められる相関行列の一例を示す図である。
【図６】図４に示す受信環境で図３に示す他局相関行列算出ブロックにより求められる相関行列の一例を示す図である。
【図７】図１〜図３に示す無線受信装置の第１変形例を示すブロック図である。
【図８】図１〜図３に示す無線受信装置の第２変形例を示すブロック図である。
【図９】図１〜図３に示す無線受信装置の第３変形例を示すブロック図である。
【図１０】図１〜図３に示す無線受信装置の第４変形例を示すブロック図である。
【符号の説明】
【００２６】
１１，１２  パイロットチャネル（ＣＰＩＣＨ）逆拡散部
１１−１，１２−１  自局コード逆拡散部
１１−２，１１−３，１２−２，１２−３  他局コード逆拡散部
２０  イコライザ（ＦＩＲフィルタ部）
２１  遅延回路
２２  タップ乗算器
２３  加算回路（Σ）
３０  電力推定部（電力測定手段）
３１−１〜３１−ｎ  他局電力測定部
３２  上位他局選択部
３３  閾値他局選択部
４０  雑音推定部（雑音算出手段）
５０  ウェイト（Ｗ）算出部（相関値算出手段、重み付け制御手段）
５０−１  自局相関行列算出ブロック（第１無線基地局相関値算出部）
５０−２  他局相関行列算出ブロック（第２無線基地局相関値算出部）
５０−３  他局相関行列算出ブロック
５１−１〜５１−６  平均化部
５２−１，５２−２，５２−５，５２−６  タイミング遅延回路
５３−１，５３−２，５５−１〜５５−５  複素乗算器
５４−１〜５４−３，５６−１〜５６−６，５７−１〜５７−８  加算器
５８  行列演算部
６０  窓タイミング制御部
７０  データ逆拡散部
【発明を実施するための最良の形態】
【００２７】
以下、図面を参照して本発明の実施の形態を説明する。ただし、以下に示す実施形態は、あくまでも本発明の要旨の理解を助けるための例示に過ぎず、以下に示す実施形態で明示しない種々の変形や技術の適用を排除する意図はない。即ち、本発明の趣旨を逸脱しない範囲であって本発明の属する技術分野における通常の知識を有する者（当業者）にとって自明な範囲の変形や技術の適用であれば、当然に本発明の技術的範囲に属する。【００２８】
〔Ａ〕一実施形態の説明
図１は本発明の一実施形態に係る無線受信装置の要部の構成を示すブロック図で、この図１に示す無線受信装置は、例えば、携帯電話等の無線端末（ＭＳ）の受信系として適用することができ、２つのアンテナ＃１，＃２と、当該アンテナ＃１，＃２毎の共通パイロットチャネル（ＣＰＩＣＨ）逆拡散部１１，１２と、イコライザ（ＦＩＲフィルタ部）２０と、電力推定部３０と、雑音推定部４０と、ウェイト（Ｗ）算出部５０と、窓タイミング制御部６０と、データ逆拡散部７０とをそなえて構成される。なお、例えば、電力推定部３０と、雑音推定部４０と、ウェイト（Ｗ）算出部５０と、窓タイミング制御部６０とでイコライザ２０の制御装置が構成される。【００２９】
ここで、ＣＰＩＣＨ逆拡散部（チャネル推定手段）１１は、一方のアンテナ＃１で受信された信号を自局（サービングセルである送信局）及び他局〔干渉局（自局からの受信信号に対して干渉を与える信号を送信する局）〕のコードで逆拡散することにより自局（第１無線基地局）及び他局（第２無線基地局）からの各共通パイロット信号のチャネル推定値を求めるものであり、ＣＰＩＣＨ逆拡散部（チャネル推定手段）１２は、他方のアンテナ＃２で受信された信号を、同様に、自局（サービングセル）及び他局のコードで逆拡散することにより自局及び他局からの各共通パイロット信号のチャネル推定値を求めるものである。【００３０】
ＦＩＲフィルタ部２０は、マルチパス干渉を低減する目的で、前記受信データを等化（ＦＩＲフィルタリング）するもので、このため、例えば図２に示すように、入力受信データを単位時間（１チップ）ずつ遅延させるためのｎ個（ｎは２以上の整数）の遅延回路２１と、これらの遅延回路２１の出力にタップ係数ｗ0，ｗ1，…，ｗn-1をそれぞれ乗算するｎ個のタップ乗算器２２と、これらのタップ乗算器２２の出力を加算（総和）する加算回路（Σ）２３とをそなえて構成される。【００３１】
また、窓タイミング制御部６０は、ＣＰＩＣＨ逆拡散部１１，１２での各逆拡散結果に基づいて、当該ＦＩＲフィルタ部２０でのフィルタリングに用いるタップ係数ｗの数（窓幅を決める窓タイミング）を制御するものであり、データ逆拡散部５０は、ＦＩＲフィルタ部２０の出力を逆拡散して復調結果を得るものである。
電力推定部３０は、各ＣＰＩＣＨ逆拡散部１１，１２の逆拡散結果から受信電力を推定するものであり、雑音推定部４０は、雑音推定値（ρ2Ｉ）を求めるものである。ただし、電力推定部３０の機能は、後述する変形例において必要な機能であり、本実施形態においては不要にしてもよい。【００３２】
そして、ウェイト算出部（相関値算出手段、重み付け制御手段）５０は、これらの推定部３０，４０からの推定値と、ＣＰＩＣＨ逆拡散部１１，１２の逆拡散結果（自局及び他局との間のチャネル推定値）とに基づいて、自局及び他局の各相関行列を求め、これらの相関行列から前記ＦＩＲフィルタ部２０の各タップ乗算器２２のためのタップ係数ｗを求めるもので、本例では、他局の相関行列を自局の相関行列Ｒ0と同様の演算により求めるのではなく、アンテナ＃１，＃２に対して同一タイミングで到来する信号についてのみ相関値を求め、残りの成分は０とした簡易な行列Ｑを求めることで、演算量を削減できるようになっている。【００３３】
即ち、本例のウェイト算出部５０は、下記の(2.2)式及び(2.3)式で表される演算により、自局についての相関行列（第１相関値）Ｒ0と他局についての相関行列（第２相関値）Ｑとを求め、これらの合成行列Ｒから、下記の(2.1)式により、タップ係数ｗを求めるようになっている。ただし、これらの行列Ｒ0，Ｑ，Ｒはいずれもｉ行ｊ列の行列であり、アンテナ番号＃ｒ（ｒ１，ｒ２）、パス番号＃ｍのチャネル推定値をＹ（ｒ，ｍ）と表現することを前提としている。【００３４】
【数４】
2008126284.tif 000006
【００３５】
ただし、(2.3)式において、δ（ｘ，ｙ）は、クロネッカのデルタを表し、ｘ＝ｙのとき１、ｘ≠ｙのとき０である。
例えば図４に示すように、無線基地局（ＢＴＳ）＃１からアンテナ＃１及び＃２にそれぞれ２つのパス＃１，＃２を通じて信号が到来し、ＢＴＳ＃２からもアンテナ＃１及び＃２にそれぞれ２つのパス＃１，＃２を通じて信号が到来する受信環境において、ＢＴＳ＃１からの信号を有効な信号として受信する（ＢＴＳ＃２からの信号は干渉波となる）場合を考える。【００３６】
このときのＢＴＳ＃１（自局）についての相関行列Ｒ0を図５に、ＢＴＳ＃２（他局）についての相関行列Ｑを図６にそれぞれ示す。従来例１では図５に示す行列のみに基づいてタップ係数ｗを求め、従来例２ではＢＴＳ＃１及び＃２のそれぞれについて図５に示す行列を求めることによりタップ係数ｗを求め、受信特性を向上するが、本例では、ＢＴＳ＃２についての相関行列として、図６に示すような簡略化した行列Ｑを求めることで、演算量を抑制しつつ受信特性を向上する。【００３７】
そのため、本例の無線受信装置は、例えば図３に示すように、前記のＣＰＩＣＨ逆拡散部１１として、自局コード逆拡散部１１−１及び他局コード逆拡散部１１−２をそなえるとともに、前記のＣＰＩＣＨ逆拡散部１２として、自局コード逆拡散部１２−１及び他局コード逆拡散部１２−２をそなえて構成される。
また、ウェイト算出部５０は、例えば図３に示すように、共通パイロット逆拡散部５１−１〜５１−４と、平均化部５１−１〜５１−４と、タイミング遅延回路５２−１，５２−２と、二乗回路５２−３，５２−４と、複素乗算器５３−１，５５−１〜５５−３と、加算器５４−１，５４−２，５６−１〜５６−４，５７−１〜５７−５と、行列演算部５８とをそなえて構成される。【００３８】
そして、点線枠５０−１で示すブロック、即ち、平均化部５１−１，５１−２，タイミング遅延回路５２−１，５２−２，複素乗算器５３−１，５５−１，５５−２，加算器５４−１，５６−１，５６−２，５７−１〜５７−３から成るブロックが、自局（ＢＴＳ＃１）についての相関行列Ｒ0を求める自局相関行列算出ブロック（第１無線基地局相関値算出部）として機能し、点線枠５０−２で示すブロック、即ち、平均化部５１−３，５１−４，二乗回路５２−３，５２−４，複素乗算器５５−３，加算器５６−３，５４−２，５６−４，５７−４，５７−５から成るブロックが、他局（ＢＴＳ＃２）についての相関行列Ｑを求める他局相関行列算出ブロック（第２無線基地局相関値算出部）として機能する。【００３９】
ここで、自局コード逆拡散部（第１無線基地局チャネル推定部）１１−１は、一方の受信アンテナ＃１についての受信データ（共通パイロット信号）を自局（ＢＴＳ＃１）のコードにより逆拡散して受信アンテナ＃１とＢＴＳ＃１との間のチャネル推定値を求めるものであり、他局コード逆拡散部（第２無線基地局チャネル推定部）１１−２は、当該受信アンテナ＃１についての受信データ（共通パイロット信号）を他局（ＢＴＳ＃２）のコードにより逆拡散して受信アンテナ＃１とＢＴＳ＃２との間のチャネル推定値を求めるものである。【００４０】
また、自局コード逆拡散部（第１無線基地局チャネル推定部）１２−１は、他方の受信アンテナ＃２についての受信データ（共通パイロット信号）を自局のコードにより逆拡散して受信アンテナ＃２とＢＴＳ＃１との間のチャネル推定値を求めるものであり、他局コード逆拡散部（第２無線基地局チャネル推定部）１２−２は、当該の受信アンテナ＃２についての受信データ（共通パイロット信号）を他局のコードにより逆拡散して受信アンテナ＃２とＢＴＳ＃２との間のチャネル推定値を求めるものである。【００４１】
さらに、ウェイト算出部５０において、平均化部５１−１，５１−２は、それぞれ、対応する逆拡散部１１−１，１２−１での逆拡散結果（ＢＴＳ＃１との間のチャネル推定値）を平均化するものであり、タイミング遅延回路５２−１，５２−２は、それぞれ、自局についての相関行列Ｒ0をｉ行ｊ列の行列とした場合に、平均化部５１−１，５１−２で得られたチャネル推定値の平均値（平均チャネル推定値）を（ｉ−ｊ）だけ遅延させて複素乗算器５５−１，５５−２へ出力するものである。【００４２】
複素乗算器５５−１は、タイミング遅延回路５２−１の出力と、前記平均化部５１−１，５１−２の出力とを複素乗算するもので、当該複素乗算は、図４に示した受信状態を例にすれば、一方のアンテナ＃１に（ｉ−ｊ）だけタイミングがずれて到来したパス＃１，＃２のチャネル推定値α1，β1の一方を共役複素数として他方に乗算することにより、図５に示す行列Ｒ0の左上（アンテナ＃１−アンテナ＃１）の７行７列のブロック成分（相関値Ｓ，０，α1*β1，β1*α1）を求めていることに相当する。【００４３】
同様に、複素乗算器５５−２は、タイミング遅延回路５２−２の出力と、前記平均化部５１−２，５１−２の出力とを複素乗算するもので、当該複素乗算は、図４に示した受信状態を例にすれば、他方のアンテナ＃２に（ｉ−ｊ）だけタイミングがずれて到来したパス＃１，＃２のチャネル推定値α2，β2の一方を共役複素数として他方に乗算することにより、図５に示す行列Ｒ0の右下（アンテナ＃２−アンテナ＃２）の７行７列のブロック成分（相関値Ｓ，０，α2*β2，β2*α2）を求めていることに相当する。【００４４】
ただし、Ｓ＝｜α1｜2＋｜α2｜2＋｜β1｜2＋｜β2｜2であり、当該加算要素のうち、｜α1｜2及び｜β1｜2の要素は、ｉ＝ｊのときの一方の複素乗算器５５−１の演算結果として得られ、｜α2｜2及び｜β2｜2の要素は、ｉ＝ｊのときの他方の複素乗算器５５−２の演算結果として得られる。即ち、前記Ｓの各加算要素は、同じアンテナ＃１又は＃２に異なるパス＃１，＃２の信号が同一タイミングで到来したときのチャネル推定値どうしの複素乗算結果として得られる。【００４５】
複素乗算器５３−１は、平均化部５１−１の出力とタイミング遅延回路５２−２の出力とを複素乗算するもので、当該複素乗算は、図４に示した受信状態を例にすれば、各アンテナ＃１，＃２に（ｉ−ｊ）だけタイミングがずれて到来したパス＃１，＃２のチャネル推定値α1，β2の一方、及び、チャネル推定値α2，β1の一方を共役複素数としてそれぞれ他方に乗算することにより、図５に示す行列Ｒ0の左下及び右上（アンテナ＃１−アンテナ＃２，アンテナ＃２−アンテナ＃１）の７行７列のブロック成分（相関値Ｃ*，０，α2*β1，β2*α1，α1*β2，β1*α2）を求めていることに相当する。ただし、Ｃ*＝α1*α2＋β1*β2であり、α1*α2及びβ1*β2は、ｉ＝ｊのときの当該複素乗算器５３−１の演算結果、即ち、異なるアンテナ＃１，＃２に同一タイミングで到来した同じパス＃１又は＃２のチャネル推定値どうしの複素乗算結果として得られる。【００４６】
加算器５６−１は、複素乗算器５５−１の出力を累積的に加算することにより、図５に示す行列Ｒ0の左上の７行７列のブロックを求めるものであり、同様に、加算器５６−２は、複素乗算器５５−２の出力を累積的に加算することにより、当該行列Ｒ0の右下の７行７列のブロックを求めるものであり、加算器５４−１は、複素乗算器５３−１の出力を累積的に加算することにより、当該行列Ｒ0の左下及び右上の７行７列の各ブロックを求めるものである。【００４７】
そして、加算器５７−１，５７−２，５７−３は、それぞれ、対応する加算器５６−１，５４−１，５６−２の加算結果（ブロック成分）を加算（合成）することにより、図５に示すような、自局（ＢＴＳ＃１）についての相関行列Ｒ0を求めるものである。
一方、平均化部５１−３，５１−４は、それぞれ、対応する逆拡散部１１−２，１２−２での逆拡散結果（ＢＴＳ＃２との間のチャネル推定値）を平均化するものであり、二乗回路５２−３，５２−４は、それぞれ、対応する平均化部５１−３，５１−４の出力を自乗するもので、当該自乗は、図４に示した受信状態を例にすれば、同じアンテナ＃１又は＃２に異なるパス＃１，＃２の信号が同一タイミングで到来したとき（ｉ＝ｊのとき）のチャネル推定値どうしを複素乗算することにより、図６に示す行列Ｑの左上及び右下（アンテナ＃１−アンテナ＃１，アンテナ＃２−アンテナ＃２）の７行７列のブロック成分（対角成分）Ｓ1を求めていることに相当する。ただし、Ｓ1＝｜γ1｜2＋｜γ2｜2＋｜δ1｜2＋｜δ2｜2であり、当該加算要素のうち、｜γ1｜2及び｜δ1｜2の要素は、二乗回路５２−３の演算結果として得られ、｜γ2｜2及び｜δ2｜2の要素は、二乗回路５２−４の演算結果として得られる。【００４８】
複素乗算器５５−３は、前記の各平均化部５１−３，５１−４の出力を複素乗算するもので、当該複素乗算は、図４に示した受信状態を例にすれば、異なるアンテナ＃１，＃２に同一タイミング（ｉ＝ｊ）で到来した同じパス＃１又は＃２のチャネル推定値どうしの一方を共役複素数として他方に乗じることにより、図５に示す行列Ｑの左下及び右上（アンテナ＃１−アンテナ＃２，アンテナ＃２−アンテナ＃１）の７行７列の各ブロック成分（対角成分）Ｃ1，Ｃ1*（Ｃ1＝γ1*γ2＋δ1*δ2）の加算要素γ1*γ2及びδ1*δ2を求めていることに相当する。【００４９】
また、加算器５６−３は、当該複素乗算器５５−３の出力を累積的に加算することにより、図６に示す行列Ｑの左上及び右下の各ブロックを求めるものであり、加算器５４−２，５６−４は、それぞれ、対応する前記二乗回路５２−３，５２−４の出力を累積的に加算することにより、図６に示す行列Ｑの左下及び右上の各ブロックを求めるものである。
そして、加算器５７−４，５７−５は、それぞれ、加算器５６−３，５４−２，５６−４の加算結果（ブロック成分）を加算することにより、前記(2.3)式で表される図６に示すような、他局（ＢＴＳ＃２）についての行列Ｑを求めるもので、当該行列Ｑが加算器５７−１〜５７−３を通じて行列Ｒ0及び雑音推定値ρ2Ｉと加算（合成）されることにより、前記(2.2)式で表される合成行列Ｒが求められるのである。【００５０】
最後に、行列演算部５８は、当該合成行列Ｒと、前記自局コード逆拡散部１１−１，１２−１の出力として得られているチャネル推定値ｈとに基づいて、前記の(2.3)式を解くことにより、タップ係数ｗを求めてＦＩＲフィルタ部２０のタップ乗算器２２へ与えるものである。
以下、上述のごとく構成された本実施形態の無線受信装置の動作（タップ係数算出方法）について、図４に示した受信環境を前提として説明すると、受信アンテナ＃１，＃２には、それぞれＢＴＳ＃１及び＃２の信号が到来しているので、ＣＰＩＣＨ逆拡散部１１（自局コード逆拡散部１１−１，他局コード逆拡散部１１−２），ＣＰＩＣＨ逆拡散部１２（自局コード逆拡散部１２−１，他局コード逆拡散部１２−２）にて、アンテナ＃１，＃２毎にそれぞれの受信信号をＢＴＳ＃１，＃２の共通パイロット信号に対する拡散コードで逆拡散することにより、ＢＴＳ＃１及び＃２についてのチャネル推定値が得られる（チャネル推定過程）。【００５１】
ウェイト算出部５０は、このようにして得られたチャネル推定値を用いて相関行列Ｒ（行列Ｒ0及びＱ）を求めてタップ係数ｗを求めることになる。
具体的には、アンテナ＃１，＃２毎の自局コード逆拡散部１１−１，１２−１で求められたチャネル推定値に関して、前記のタイミング遅延回路５２−１，５２−２，複素乗算器５３−１，５５−１，５５−２，加算器５４−１，５６−１，５６−２，５７−１〜５７−３にて、既述のとおりに、タイミング差（ｉ−ｊ）となるチャネル推定値の一方を共役複素数として他方に乗算することを、チャネル推定値を求めたすべてのタイミング（同一及び異なる信号タイミング）について行ない、その結果を加算することで、自局についての相関行列Ｒ0を求める〔（自局）相関値算出過程〕。【００５２】
即ち、アンテナ番号＃ｒ（ｒ１，ｒ２）、パス番号＃ｍのチャネル推定値Ｘ（ｒ，ｍ）をとすれば、下記の(2.4)式により、図５に示したような、ｉ行ｊ列の相関行列Ｒi,j＝Ｒ0を計算する。ただし、図４に示す受信環境の場合、Ｘ（１，１）＝α1，Ｘ（１，２）＝β1，Ｘ（２，１）＝α2，Ｘ（２，２）＝β2に相当する。【００５３】
【数５】
2008126284.tif 000007
【００５４】
一方、アンテナ＃１，＃２毎の他局コード逆拡散部１１−２，１２−２で求められたチャネル推定値に関しては、演算量削減のために、平均化部５１−３，５１−４，二乗回路５２−３，５２−４，複素乗算器５５−３，加算器５４−２，５６−３，５６−４，５７−４，５７−５にて、既述のとおりにタイミング差のない（同一信号タイミング）のチャネル推定値どうしを乗算する（同じアンテナ＃１又は＃２に関しては、二乗回路５２−３，５２−４にて二乗和をとることになる）、即ち、アンテナ番号＃ｒに対して、パス番号＃ｋのチャネル推定値Ｙ（ｒ，ｋ）を用いて下記の(2.5)式により他局についての行列Ｑを計算する〔（他局）相関値算出過程〕。【００５５】
【数６】
2008126284.tif 000008
【００５６】
そして、上述のごとく計算された行列Ｒ0と行列Ｑと雑音推定部４０で求められた雑音推定値ρ2Ｉとが加算器５７−１〜５７−５を通じて加算されることにより合成行列Ｒが求められ、行列演算部５８に入力される。
これにより、行列演算部５８は、当該合成行列Ｒと自局についてのチャネル推定値（自局コード逆拡散部１１−１，１２−１の逆拡散結果）とに基づいて、前記の(2.1)式を解くことによりタップ係数ｗを求め、ＦＩＲフィルタ部２０の各タップ乗算器２２へ与える（重み付け制御過程）。【００５７】
以上のように、本実施形態によれば、イコライザ（ＦＩＲフィルタ部２０）の重み付け加算制御（タップ係数ｗの算出）の過程で、自局についての相関行列Ｒ0（相関値）はすべての信号タイミングのチャネル推定値に基づいて求め、他局についての相関行列Ｑ（相関値）は同一信号タイミングのチャネル推定値のみに基づいて求めるので、演算量を削減しつつ他局からの干渉波の影響を低減して受信特性を向上することができる。【００５８】
例えば、本例の従来例１からの演算増加量は、１アンテナあたりのタップ数（合成係数の数）の２乗分の１に比例するので、ＢＴＳ数＝２、１アンテナあたりのタップ数＝４０とすると、本例の技術は、従来例１に対して約１．３％の演算量追加で実現することができる。なお、従来例２では２倍の演算量（１００％増）が必要となる。
〔Ｂ〕第１変形例の説明
上述した実施形態では、他局についての相関行列Ｑを同一信号タイミングのチャネル推定値のみに基づいて算出しているが、他局であっても所定の電力閾値以上の信号が到来する他局（これを電力大の他局と称し、それ以外の他局を電力小の他局と称する）については、自局についての相関行列と同様に、すべての信号タイミングのチャネル推定値に基づいて相関行列を算出するようにしてもよい。【００５９】
例えば、自局（サービングセル）以外に、電力大の他局＃１及び電力小の他局＃２からも信号が到来する場合の図３相当の構成を図７に示す。この図７に示す無線受信装置は、図３に示す構成に比して、アンテナ＃１の受信信号を他局＃１の共通パイロット信号の拡散コードで逆拡散してチャネル推定値を求めるコード逆拡散部１１−３と、アンテナ＃２の受信信号を他局＃１の共通パイロット信号の拡散コードで逆拡散してチャネル推定値を求める他局コード逆拡散部１２−３とをさらにそなえるとともに、自局相関行列算出ブロック５０−１と同等の構成を有する他局相関行列算出ブロック５０−３が電力大の他局＃１用に付加され、相関行列Ｑを求める他局相関行列算出ブロック５０−２が、電力小の他局＃２に対応する点が異なる。【００６０】
即ち、他局相関行列算出ブロック５０−３は、自局相関行列算出ブロック５０−１の構成要素と同様の、平均化部５１−５，５１−６と、タイミング遅延回路５２−５，５２−６と、複素乗算器５３−２，５５−４，５５−５と、加算器５４−３，５６−５，５６−６，５７−６〜５７−８とをそなえて構成される。
また、この場合、他局相関行列算出ブロック５０−２において、他局コード逆拡散部１１−２は、アンテナ＃１の受信信号を他局＃２の共通パイロット信号の拡散コードで逆拡散してチャネル推定値を求め、他局コード逆拡散部１２−２は、アンテナ＃２の受信信号を他局＃２の共通パイロット信号の拡散コードで逆拡散してチャネル推定値を求めることになる。【００６１】
上述のごとく構成された無線受信装置では、他局であっても、前記電力推定値部３０で得られた電力推定値が所定の電力閾値以上の電力大の他局＃１に関しては、他局相関行列算出ブロック５０−３にて、既述の自局相関行列算出ブロック５０−１と同様にして同一及び異なる信号タイミングのチャネル推定値に基づいて相関行列を求め、電力小の他局２に関しては、他局相関行列算出ブロック５０−２にて、既述の実施形態と同様にして、信号タイミング差のないチャネル推定値のみに基づいて相関行列Ｑを求める。【００６２】
そして、各相関行列算出ブロック５０−１，５０−２，５０−３にて、自局及び２つの他局＃１，＃２についてそれぞれ求められた相関行列の合成行列Ｒに基づいて、行列演算部５８にて、前記タップ係数ｗが前記(2.1)式により求められることになる。
このように、本変形例によれば、他局であっても、受信電力が大きく干渉量の多い他局については同一及び異なる信号タイミングのチャネル推定値に基づいてより精度の高い相関値計算を行なうので、既述の実施形態に比して、受信電力の大きい他局からの干渉成分を除去して、より受信特性を向上することが可能となる。【００６３】
〔Ｃ〕第２変形例の説明
なお、他局が３つ以上存在する場合には、各基地局別に受信電力測定を行ない、電力の大きい順に予め決められた基地局数分については、自局についての相関行列Ｒ0と同等の相関行列を求め（つまり、同一及び異なる信号タイミングのチャネル推定値に基づいて相関値演算を行ない）、それ以外の他局については同一信号タイミングのチャネル推定値のみに基づいて相関行列Ｑを求めるようにすることもできる。【００６４】
この場合は、例えば図８に示すように、電力推定部（電力測定手段）３０に、他局＃１〜＃ｎ別の他局電力測定部３１−１〜３１−ｎと、これらの他局電力測定部３１−１〜３１−ｎの各測定結果の上位ｍ個の他局を選択する上位他局選択部３２とをそなえ、その選択結果に応じて既述の自局相関行列算出ブロック５０−１及び他局相関行列算出ブロック５０−２に相当するブロックの動作数を制御するようにすればよい。【００６５】
このようにすれば、他局が３つ以上存在する場合においても、受信電力の大きい他局からの干渉成分を除去して、より受信特性を向上することが可能となる。なお、前記基地局数ｍは、回路規模や特性等に基づいて予め決めておいてもよいし、適応的に変更してもよい。
〔Ｄ〕第３変形例の説明
また、他局が３つ以上存在する場合には、各基地局別に受信電力測定を行ない、所定の電力閾値以上の基地局については、自局についての相関行列Ｒ0と同等の相関行列を求め（つまり、同一及び異なる信号タイミングのチャネル推定値に基づいて相関値演算を行ない）、それ以外の他局については受信特性向上に寄与する割合が小さいので、消費電力の観点から同一信号タイミングのチャネル推定値に基づく相関行列Ｑの算出を行なうようにしてもよい。【００６６】
この場合は、例えば図９に示すように、電力推定部（電力測定手段）３０に、他局＃１〜＃ｎ別の他局電力測定部３１−１〜３１−ｎと、これらの他局電力測定部３１−１〜３１−ｎの各測定結果が所定の電力閾値以上の他局を選択する閾値他局選択部３３とをそなえ、その選択結果に応じて既述の自局相関行列算出ブロック５０−１及び他局相関行列算出ブロック５０−２に相当するブロックの動作数を制御するようにすればよい。【００６７】
このようにすれば、上述した第２変形例と同様の作用効果が得られるほか、他局選択動作をより簡易化して高速化することができる。なお、前記所定の電力閾値は、受信特性、消費電力などを考慮して予め決めておいてもよいし、適応的に変更してもよい。
〔Ｅ〕第４変形例の説明
通常は、受信信号（信号成分＋干渉成分）から信号成分を引き算することにより干渉成分の電力測定を行なうが、前記雑音推定部（雑音算出手段）４０では、すべての基地局（自局及び他局）に関して電力（推定値）を求めることができるので、その場合、干渉量としては熱雑音を考慮すればよいことになる。【００６８】
熱雑音の計算は、温度Ｔ，ボルツマン定数Ｋとして、以下の(2.6)式により求められる。
ρ2＝ＫＴ  …(2.6)
また、無線受信装置のＮＦ（Noise Figure）を考慮して
ρ2＝ＫＴ＋ＮＦ  …(2.7)
として求めることもできる。【００６９】
したがって、図１０に示すように、雑音推定部４０は、(2.6)式又は(2.7)式により求めた値から前記雑音成分ρ2Ｉを求め、これを図３又は図７に示した加算器５７−１に与えればよい。
【産業上の利用可能性】
【００７０】
以上詳述したように、本発明によれば、イコライザの重み付け加算制御（タップ係数算出）の過程で、自局についての相関行列Ｒ0（第１相関値）はすべての信号タイミングのチャネル推定値に基づいて求め、他局についての相関行列Ｑ（第２相関値）は同一信号タイミングのチャネル推定値のみに基づいて求めるので、演算量を削減しつつ他局からの干渉波の影響を低減して受信特性を向上することができる。したがって、無線通信技術分野、特にイコライザによる受信信号の等化を行なう技術分野において極めて有用と考えられる。
【図１】
2008126284.tif 000009
【図２】
2008126284.tif 000010
【図３】
2008126284.tif 000011
【図４】
2008126284.tif 000012
【図５】
2008126284.tif 000013
【図６】
2008126284.tif 000014
【図７】
2008126284.tif 000015
【図８】
2008126284.tif 000016
【図９】
2008126284.tif 000017
【図１０】
2008126284.tif 000018
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
第１無線基地局から送信された信号と、第２無線基地局からの前記信号に対する干渉信号との相関に基づいて受信信号系列の重み付け加算が制御されることにより受信信号を等化するイコライザの制御装置であって、
前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定手段と、
前記第１無線基地局については、同一信号タイミングのチャネル推定値同士の演算結果及び異なる信号タイミング同士のチャネル推定値の演算結果に基づいて第１相関値を求めるとともに、前記第２無線基地局については、同一信号タイミングのチャネル推定値同士の演算結果に基づいて第２相関値を求める相関値算出手段と、
前記相関値算出手段で求められた前記第１、第２相関値に基づいて前記イコライザでの前記重み付け加算を制御する重み付け制御手段と、
をそなえたことを特徴とする、イコライザの制御装置。
【請求項２】
前記チャネル推定手段は、
前記第１無線基地局から送信されたパイロット信号に基づいて前記第１無線基地局についてのチャネル推定値を求める第１無線基地局チャネル推定部と、
前記第２無線基地局から送信されたパイロット信号に基づいて前記第２無線基地局についてのチャネル推定値を求める第２無線基地局チャネル推定部とをそなえ、
前記相関値算出手段は、
前記第１無線基地局チャネル推定部により求められたチャネル推定値の積により前記第１無線基地局についての前記第１相関値を求める第１無線基地局相関値算出部と、
前記第２無線基地局チャネル推定部により求められたチャネル推定値のうち同一信号タイミングのチャネル推定値の積により前記第２無線基地局についての前記第２相関値を求める第２無線基地局相関値算出部とをそなえて構成されたことを特徴とする、請求項１記載のイコライザの制御装置。
【請求項３】
複数の前記第２無線基地局からの信号の受信電力をそれぞれ測定する電力測定手段をさらにそなえるとともに、
前記相関値算出部は、
前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されたことを特徴とする、請求項１又は２に記載のイコライザの制御装置。
【請求項４】
複数の前記第２無線基地局からの信号の受信電力をそれぞれ測定する電力測定手段をさらにそなえるとともに、
前記相関値算出部は、
前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されたことを特徴とする、請求項１又は２に記載のイコライザの制御装置。
【請求項５】
温度に基づく熱雑音を求める雑音算出手段をさらにそなえ、
前記重み付け制御手段は、
前記各相関値と前記雑音算出手段で求められた熱雑音とに基づいて前記重み付け加算を制御するように構成されたことを特徴とする、請求項１〜４のいずれか１項に記載のイコライザの制御装置。
【請求項６】
請求項１〜５のいずれか１項に記載のイコライザの制御装置をそなえたことを特徴とする、無線端末。
【請求項７】
第１無線基地局から送信された信号と、第２無線基地局からの前記信号に対する干渉信号との相関に基づいて受信信号系列の重み付け加算が制御されることにより受信信号を等化するイコライザの制御方法であって、
前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定過程と、
前記第１無線基地局については、同一信号タイミングのチャネル推定値同士の演算結果及び異なる信号タイミングのチャネル推定値同士の演算結果に基づいて第１相関値を求めるとともに、前記第２無線基地局については、同一信号タイミングのチャネル推定値同士の演算結果に基づいて第２相関値を求める相関値算出過程と、
前記相関値算出過程で求められた前記第１、第２相関値に基づいて前記イコライザでの前記重み付け加算を制御する重み付け制御過程と、
を有することを特徴とする、イコライザの制御方法。
【請求項８】
前記チャネル推定過程では、
前記第１無線基地局から送信されたパイロット信号に基づいて前記第１無線基地局についてのチャネル推定値を求めるとともに、前記第２無線基地局から送信されたパイロット信号に基づいて前記第２無線基地局についてのチャネル推定値を求め、
前記相関値算出過程では、
前記第１無線基地局についてのチャネル推定値の積により前記第１無線基地局についての前記第１相関値を求め、前記第２無線基地局についてのチャネル推定値のうち同一信号タイミングのチャネル推定値の積により前記第２無線基地局についての前記第２相関値を求めることを特徴とする、請求項７記載のイコライザの制御方法。
【手続補正２】
【補正対象書類名】明細書
【補正対象項目名】００６９
【補正方法】変更
【補正の内容】
【００６９】
したがって、図１０に示すように、雑音推定部４０は、(2.6)式又は(2.7)式により求めた値から前記雑音成分ρ2Ｉを求め、これを図３又は図７に示した加算器５７−１に与えればよい。
以上の実施形態に関し、さらに以下の付記を開示する。
（付記１）
第１無線基地局から送信された信号と、第２無線基地局からの前記信号に対する干渉信号との相関に基づいて受信信号系列の重み付け加算が制御されることにより受信信号を等化するイコライザの制御装置であって、
前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定手段と、
前記第１無線基地局については、同一信号タイミングのチャネル推定値同士の演算結果及び異なる信号タイミング同士のチャネル推定値の演算結果に基づいて第１相関値を求めるとともに、前記第２無線基地局については、同一信号タイミングのチャネル推定値同士の演算結果に基づいて第２相関値を求める相関値算出手段と、
前記相関値算出手段で求められた前記第１、第２相関値に基づいて前記イコライザでの前記重み付け加算を制御する重み付け制御手段と、
をそなえたことを特徴とする、イコライザの制御装置。
（付記２）
前記チャネル推定手段は、
前記第１無線基地局から送信されたパイロット信号に基づいて前記第１無線基地局についてのチャネル推定値を求める第１無線基地局チャネル推定部と、
前記第２無線基地局から送信されたパイロット信号に基づいて前記第２無線基地局についてのチャネル推定値を求める第２無線基地局チャネル推定部とをそなえ、
前記相関値算出手段は、
前記第１無線基地局チャネル推定部により求められたチャネル推定値の積により前記第１無線基地局についての前記第１相関値を求める第１無線基地局相関値算出部と、
前記第２無線基地局チャネル推定部により求められたチャネル推定値のうち同一信号タイミングのチャネル推定値の積により前記第２無線基地局についての前記第２相関値を求める第２無線基地局相関値算出部とをそなえて構成されたことを特徴とする、付記１記載のイコライザの制御装置。
（付記３）
複数の前記第２無線基地局からの信号の受信電力をそれぞれ測定する電力測定手段をさらにそなえるとともに、
前記相関値算出部は、
前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されたことを特徴とする、付記１又は２に記載のイコライザの制御装置。
（付記４）
複数の前記第２無線基地局からの信号の受信電力をそれぞれ測定する電力測定手段をさらにそなえるとともに、
前記相関値算出部は、
前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めるように構成されたことを特徴とする、付記１又は２に記載のイコライザの制御装置。
（付記５）
温度に基づく熱雑音を求める雑音算出手段をさらにそなえ、
前記重み付け制御手段は、
前記各相関値と前記雑音算出手段で求められた熱雑音とに基づいて前記重み付け加算を制御するように構成されたことを特徴とする、付記１〜４のいずれか１項に記載のイコライザの制御装置。
（付記６）
付記１〜５のいずれか１項に記載のイコライザの制御装置をそなえたことを特徴とする、無線端末。
（付記７）
第１無線基地局から送信された信号と、第２無線基地局からの前記信号に対する干渉信号との相関に基づいて受信信号系列の重み付け加算が制御されることにより受信信号を等化するイコライザの制御方法であって、
前記第１無線基地局からの信号に基づいて、前記第１無線基地局についてのチャネル推定値を求め、前記第２無線基地局からの信号に基づいて、前記第２無線基地局についてのチャネル推定値を求めるチャネル推定過程と、
前記第１無線基地局については、同一信号タイミングのチャネル推定値同士の演算結果及び異なる信号タイミングのチャネル推定値同士の演算結果に基づいて第１相関値を求めるとともに、前記第２無線基地局については、同一信号タイミングのチャネル推定値同士の演算結果に基づいて第２相関値を求める相関値算出過程と、
前記相関値算出過程で求められた前記第１、第２相関値に基づいて前記イコライザでの前記重み付け加算を制御する重み付け制御過程と、
を有することを特徴とする、イコライザの制御方法。
（付記８）
前記チャネル推定過程では、
前記第１無線基地局から送信されたパイロット信号に基づいて前記第１無線基地局についてのチャネル推定値を求めるとともに、前記第２無線基地局から送信されたパイロット信号に基づいて前記第２無線基地局についてのチャネル推定値を求め、
前記相関値算出過程では、
前記第１無線基地局についてのチャネル推定値の積により前記第１無線基地局についての前記第１相関値を求め、前記第２無線基地局についてのチャネル推定値のうち同一信号タイミングのチャネル推定値の積により前記第２無線基地局についての前記第２相関値を求めることを特徴とする、付記７記載のイコライザの制御方法。
（付記９）
複数の前記第２無線基地局からの信号の受信電力をそれぞれ測定し、
前記相関値算出過程では、
前記受信電力が所定の電力閾値以上の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値同士の演算結果に基づいて第２相関値を求めることを特徴とする、付記７又は８に記載のイコライザの制御方法。
（付記１０）
複数の前記第２無線基地局からの信号の受信電力をそれぞれ測定し、
前記相関値算出過程では、
前記受信電力の大きい順に所定数の第２無線基地局については、同一信号タイミングのチャネル推定値同士の演算結果及び異なる信号タイミング同士のチャネル推定値の演算結果に基づいて第２相関値を求め、残りの第２無線基地局については、同一信号タイミングのチャネル推定値に基づいて第２相関値を求めることを特徴とする、付記７又は８に記載のイコライザの制御方法。
（付記１１）
温度に基づく熱雑音を求め、
前記重み付け制御過程では、
前記各相関値と前記熱雑音とに基づいて前記重み付け加算を制御することを特徴とする、付記７〜１０のいずれか１項に記載のイコライザの制御方法。
【国際調査報告】
2008126284.tif 000019
2008126284.tif 000020
2008126284.tif 000021